(57)【要約】      （修正有）【課題】弾性変形する収納物品をリング状に巻かれた状態で収納されている収納袋に対して、うまく取り出すことができる収納袋、及び取出し方法を提供する。【解決手段】収納袋１の胴部材中央部にミシン目あるいは印刷表示による切断部５ｄを設け、これを切り開くことのより排出口６を形成する。切断部５ｄは袋の中心に交差する十字状の２本の直線だけでなく、一本の水平直線、Ｖ字状の折れ線、または波型などとすることができる。【選択図】図５
2010076770.tif 000002
【特許請求の範囲】
【請求項１】
弾性を備えリング状に巻かれた収納物品を収納する収納袋であって、収納袋の片面に収納物品が螺旋状を描いて取出し可能な切断部を形成してなることを特徴とする収納袋。
【請求項２】
請求項１の切断部の形状を直線、曲線、Ｖ字の直線、Ｖ字の曲線、中心点から縁部に向けて放射状の１本又は複数本の直線又は曲線であることを特徴とする収納袋。
【請求項３】
請求項１又は請求項２の収納袋であって、切断部をミシン目で形成するか、又は印線を描いてあることを特徴とする収納袋。
【請求項４】
弾性を備えリング状に巻かれた収納物品を収納の収納袋に、収納物品を取り出すに際して、収納袋の片面に、ナイフで直線、曲線、Ｖ字の直線、Ｖ字の曲線、中心点から縁部に向けて放射状の１本又は複数本の直線又は曲線の切断部で排出口を形成した後に、その排出口から収納物品の先端を引っ張り出す収納物品の取出し方法。
【発明の詳細な説明】
【技術分野】
【０００１】
本発明は、針金等の弾性変形をする収納物品の収納袋とその取出し方法に関する。
【背景技術】
【０００２】
従来、合成樹脂フィルムを材料とするシートからなり、例えば、リング状に巻かれた状態で収納の針金を収納する収納袋は、よく知られている。
そして、この収納袋から収納物品を取り出すときは、例えば、収納袋の端部を切断して取り出したり、或いは、収納袋に取出し口が形成されていて、この取出し口から、収納物品を引っ張り出しながら取り出している。
尚、これらはよく知られた実施例であるため、敢えて文献を挙げない。
【発明の開示】
【発明が解決しようとする課題】
【０００３】
前記収納物品を収納袋から取り出すに際して、収納袋の端部を切断して取り出すと、残りの収納物品は収納袋に入れずに、そのままの状態で放置することとなって、再度使用するに当たって、もつれた状態での使用となる。
又、収納袋に孔が明けてあって、その孔から収納物品を取り出すと、リング状に巻かれた収納物品は、順次、折れ曲がったりして、うまく取り出すことができない。
そこで、弾性変形する収納物品をリング状に巻かれた状態で収納されている収納袋に対して、うまく取り出すことができる収納袋を提供すると共に、取出し方法を提供するものである。
【課題を解決するための手段】
【０００４】
請求項１の収納袋の発明は、弾性変形する収納物品をリング状に巻かれた状態で収納してあり、この収納袋の片面には、収納物品が螺旋を描いて取出し可能な切断部が形成してある。
この発明は、収納物品の端部をもって、切断部から引っ張ると、曲折することなく、リング状の収納物品を螺旋を描きなから取り出すことによって、その取り出した収納物品の弾性により元の姿態を維持することができる。
【０００５】
又、請求項２の収納袋は、切断部の形状を直線、曲線、Ｖ字の直線、Ｖ字の曲線、或いは中心点から縁部に向けて放射状の１本又は複数本の直線又は曲線であることによって、リング状の収納物品を螺旋を描きながら取り出すことができる。
【０００６】
又、請求項３の収納袋は、予め収納袋に切断部を形成するのではなく、使用者が取り出すに当たって、切断部を形成し易いように、ミシン目を形成するか、又は印線を描いておく。
このミシン目や目印によって、容易に切断部で形成の排出口を作ることができる。
【０００７】
この請求項４の発明は、収納物品の取出し方法であって、弾性を備えリング状に巻かれた収納物品を収納の収納袋に、収納物品を取り出すに際して、収納袋の片面に、ナイフで直線、曲線、Ｖ字の直線、Ｖ字の曲線、中心点から縁部に向けて放射状の１本又は複数本の直線又は曲線の切断部で排出口を形成した後に、その排出口から収納物品の先端を引っ張り出すものである。
切断部が描いてある収納袋やミシン目が形成してある収納袋や、或いは、なにも描いてないが、切断部の形成方法の説明が記載してある収納袋がある。そして、収納物品を取り出すに当たって、切断部で形成の排出口をナイフ等で作った後に、その排出口から収納物品の先端を引っ張り出すことによって、螺旋状を描きながら順次、物品を取り出す。
【発明の効果】
【０００８】
本願の発明は、弾性を備えリング状に巻かれた収納物品を、収納袋から、螺旋を描きながら取り出すことができるので、所謂、折れ曲がりなく取り出すことができる。
【発明を実施するための最良の形態】
【０００９】
本発明は、弾性を有する、例えば、針金をリング状に巻かれた状態で収納袋に収納した状態で、うまく取り出す収納袋或いは、取出し方法である。
図１は、収納袋１に収納した収納物品２を示す図であり、収納物品２は弾性体を有し、リング状に巻かれたものであり、この例として針金２を取り上げる。
この針金２は、リング状に巻かれた状態で収納袋１に内装されて販売され、取り出して使用するときに引っ張ると、ほぼ直線状になる。
又、収納袋１は、中身が見えるポリプロピレン等の透明樹脂製であり、前記収納物品２を収納後にはヒートシールで閉鎖されている。
又、収納袋２には吊下げ用の孔３が穿設してあり、販売する際に、その孔３に支持棒（図示略）に挿入して展示する。
【００１０】
又、収納袋１の片面のほぼ中央には、リング状に巻かれた収納物品２を、螺旋を形成しながら取出し可能な切断部５が形成される。この切断部５は、予め、収納袋１の片面に形成しておいてもよいし、収納物品２を取り出すに際に、ナイフ等で切断して形成してもよい。
前記切断部５の形状には、１本の直線５ａ（図２）、１本の曲線５ｂ（図３）、１本のＶ字線５ｃ（図４）、中心点から収納袋の縁部に向けて放射状の切断部である十字線５ｄ（図５）、或いは３本以上の線による切断部（図示略）等がある。なお、前記切断部５は、直線の他、曲線でもよいし、折れ線等であってもよい。
【００１１】
前記切断部５の形状は、収納物品２を前記切断部５で形成の排出口から取り出す際に、収納物品２が螺旋状を描いて取出し可能な大きさ（長さ）であり、取り出した後に、弾性により、元の円形状になる程度の大きさ（長さ）であり、例えば、収納物品２の直径より少し小さめである。
【００１２】
或いは、前記切断部５の形状及び大きさは、収納物品２の弾性力等により、多少、螺旋形が変形してもよい場合には小さな切断部５でよいし、反対に、剛性が強い場合には、収納物品２の円形（直径）より少し大きめにする必要がある。即ち、切断部５が短い（小さい）と、収納物品２は螺旋状を維持しながら取り出すことはできず、折れができてしまって、うまく、取り出すことができない。
このことは、例えば、収納袋１に小さな孔を穿設して取り出すと、収納袋１を回しながら取り出さないと、収納物品２は折れ状態になるし、反対に、大きな孔（例えば、前記収納物品に形成のリングの大きさ）であれば、円滑に取り出すことができるが、収納袋１に大きな孔が形成されるので、保管したときの収納袋１の姿態として好ましくない。
【００１３】
尚、前記の切断部５は、予め、収納袋１に形成してある例を挙げたが、この切断部５としてミシン目を作成しておいたり、或いは、目印をしておいて、取り出す際に、購入者が、直接、ナイフ等で前記ミシン目等を切断して排出口６を形成してもよい。この様に、ミシン目や目印を収納袋に附すことによって、容易に切断部５を作成することができる。
【００１４】
以上のように、例えば、図５に示す、中心を通る十字状（２本）の切断部５ｄによって、底辺が収納袋であり、頂部（中心）から４つの三角形状の切り片で構成の排出口６を形成して、その排出口６から収納物品２の端部をもって、切断部５ｄから引っ張ると、曲折することなく、リング状の収納物品をリング状が変形して螺旋状になりながら、切断部５ｄから取り出すことができ、この様に取り出すと、収納物品２の弾性により元のリング状の姿態となる。尚、排出口６は、この中心を通る十字状（２本）の切断部５ｄによって形成するのが、他の切断部の形成に比して、簡便で円滑に収納物品を取り出すことができる。
【００１５】
又、取り出した収納物品２は、弾性のためにほぼ元のリング状になり、そのリング数を数えることによって、取出した長さを推定することができる。
又、取り出した後に残った収納物品２は、リング状を維持した状態で収納袋１に入ったままであり、前記切断部５で形成の排出口６の切れ片が元の状態になり、ほぼ閉じた状態になって、後日の使用に当たっても、前記した要領で取り出すことができる。
【００１６】
また、収納袋１に切断部５が形成されていないときには、例えば、収納袋１に「ナイフで十字状の切断部で排出口を作成して、収納物品２の先端部を、その排出口から引っ張って取り出して下さい。」と記載しておく。
そして、商品の購入者は、この記載事項に従って、ナイフ等で十字状の排出口を形成し、収納物品を取り出すこととなり、順次、螺旋状を維持しながら取り出すことができる。
【００１７】
尚、前記切断部５（排出口６）の形状は、リング状に巻かれた収納物品２が、螺旋を描きながら円滑に取出し可能な形状であればよいため、図２から図５の形状に限定されず、収納袋の片面の他に、両面に形成してもよいし、リング状に巻かれた収納物品の中心から外れた位置を中心点として収納袋の縁部に向けて放射状に形成してもよいし、その切断部の長さは中心点で対称（同じ長さ）である必要はない。
【図面の簡単な説明】
【００１８】
【図１】収納物品が収納袋の収納されている状態の図である。
【図２】収納物品を収納袋から取り出しために直線の切断部を形成の図である。
【図３】収納物品を収納袋から取り出しために曲線の切断部を形成の図である。
【図４】収納物品を収納袋から取り出しためにＶ字線の切断部を形成の図である。
【図５】収納物品を収納袋から取り出しために十字線の切断部を形成の図である。
【符号の説明】
【００１９】
１  収納袋
２  収納物品
３  吊下げ用の孔
５（５ａ、５ｂ、５ｃ、５ｄ）  切断部
６  排出口
【図１】
2010076770.tif 000003
【図２】
2010076770.tif 000004
【図３】
2010076770.tif 000005
【図４】
2010076770.tif 000006
【図５】
2010076770.tif 000007